【手続補正書】
【提出日】平成21年2月17日(2009.2.17)
【手続補正１】
【補正対象書類名】特許請求の範囲
【補正対象項目名】全文
【補正方法】変更
【補正の内容】
【特許請求の範囲】
【請求項１】
神経疾患治療への反応予測システムであって、
身体からの少なくとも１つの電気生理信号を捕捉する少なくとも２つの電極と、
治療に対する反応に関係する少なくとも１つの特徴を、該少なくとも１つの特徴を基準データセットと比較することなく前記少なくとも１つの電気生理信号から算出するプロセッサと、
を備えており、前記少なくとも１つの電気生理信号は治療の開始前に捕捉され、前記少なくとも１つの特徴の１つは自己申告による気分または心配スコアに変化を達成する治療効果の予測または治療への反応の予測であることを特徴とするシステム。
【請求項２】
治療は神経刺激であることを特徴とする、請求項１の神経疾患治療への反応予測システム。
【請求項３】
神経刺激は深部脳刺激（deep brain stimulation）であることを特徴とする、請求項２の神経疾患治療への反応予測システム。
【請求項４】
神経刺激は迷走神経刺激（vagus nerve stimulation）であることを特徴とする、請求
項２の神経疾患治療への反応予測システム。
【請求項５】
治療は医薬品の投与であることを特徴とする、請求項１の神経疾患治療への反応予測システム。
【請求項６】
治療は電気ショック療法であることを特徴とする、請求項１の神経疾患治療への反応予測システム。
【請求項７】
治療は経頭蓋磁気刺激（transcranial magnetic stimulation）であることを特徴とす
る、請求項１の神経疾患治療への反応予測システム。
【請求項８】
プロセッサは少なくとも２つの特徴を算出し、少なくとも２つの特徴を結びつけて指標とすることを特徴とする、請求項１の神経疾患治療への反応予測システム。
【請求項９】
プロセッサはスペクトルアレイから少なくとも１つの特徴を算出することを特徴とする、請求項１の神経疾患治療への反応予測システム。
【請求項１０】
プロセッサはパワースペクトルアレイから少なくとも１つの特徴を算出することを特徴とする、請求項８の神経疾患治療への反応予測システム。
【請求項１１】
プロセッサはバイスペクトルアレイから少なくとも１つの特徴を算出することを特徴とする、請求項８の神経疾患治療への反応予測システム。
【請求項１２】
少なくとも１つの特徴は時間領域特徴であることを特徴とする、請求項１の神経疾患治療への反応予測システム。
【請求項１３】
少なくとも２つの電極は双方向性モンタージュ（bilateral montage）に配置されることを特徴とする、請求項１の神経疾患治療への反応予測システム。
【請求項１４】
少なくとも２つの電極は単方向性モンタージュ（unilateral montage）に配置されることを特徴とする、請求項１の神経疾患治療への反応予測システム。
【請求項１５】
特徴は各電気生理信号から算出される距離の半球間差異（interhemisphericdifference）であることを特徴とする、請求項１の神経疾患治療への反応予測システム。
【請求項１６】
距離はスペクトル特徴であることを特徴とする、請求項１５の神経疾患治療への反応予測システム。
【請求項１７】
距離は時間領域特徴であることを特徴とする、請求項１５の神経疾患治療への反応予測システム。
【請求項１８】
神経疾患治療への反応予測システムであって、
身体からの電気生理信号を捕捉する少なくとも２つの電極と、
該電極からベースライン状態を示す第１の電気生理信号と以後の状態を示す第２の電気生理信号とを捕捉するデータ捕捉回路であって、第１の電気生理信号は治療の開始前に捕捉されるものであるデータ捕捉回路と、
データ捕捉回路から受信した電気生理信号から、
（ａ）前記ベースライン状態の患者の状態に関係する少なくとも１つの特徴を基準データセットと比較することなく該ベースライン状態間の患者の状況に関連する少なくとも１つの特徴と、
（ｂ）前記ベースライン状態の患者の状態に関係する前記少なくとも１つの特徴を基準データセットと比較することなく以後の状態間の患者の状況に関連する少なくとも１つの特徴と、
（ｃ）自己申告された気分または心配スコアの変化の予測に関係するように、ベースライン状態と以後の状態とに関連する特徴間の差と、
を算出するプロセッサと、
を備えることを特徴とするシステム。
【請求項１９】
神経疾患治療に対する反応を予測する方法であって、
身体に置かれた電極を通じて身体からの電気生理信号を捕捉するステップと、
少なくとも１つの特徴を基準データセットと比較することなく治療に対する反応に関係する少なくとも１つの特徴を電気生理信号から算出するステップであって、電気生理信号の少なくとも１つは治療の開始前に捕捉され、前記少なくとも１つの特徴は自己申告された気分または心配スコアに変化を達成させる治療効果の予測であるステップと、
を備えていることを特徴とする方法。
【請求項２０】
治療は神経刺激であることを特徴とする、請求項１９の神経疾患治療に対する反応を予測する方法。
【請求項２１】
神経刺激は深部脳刺激であることを特徴とする、請求項２０の神経疾患治療に対する反応を予測する方法。
【請求項２２】
神経刺激は迷走神経刺激であることを特徴とする、請求項２０の神経疾患治療に対する反応を予測する方法。
【請求項２３】
治療は医薬品の投与であることを特徴とする、請求項１９の神経疾患治療に対する反応を予測する方法。
【請求項２４】
治療は電気ショック療法であることを特徴とする、請求項１９の神経疾患治療に対する反応を予測する方法。
【請求項２５】
治療は経頭蓋磁気刺激であることを特徴とする、請求項１９の神経疾患治療に対する反応を予測する方法。
【請求項２６】
特徴を結びつけて指標とするステップをさらに含むことを特徴とする、請求項１９の神経疾患治療に対する反応を予測する方法。
【請求項２７】
少なくとも１つの特徴はスペクトルアレイから算出されることを特徴とする、請求項１９の神経疾患治療に対する反応を予測する方法。
【請求項２８】
少なくとも１つの特徴はパワースペクトルアレイから算出されることを特徴とする、請求項２６の神経疾患治療に対する反応を予測する方法。
【請求項２９】
少なくとも１つの特徴はバイスペクトルアレイから算出されることを特徴とする、請求項２６の神経疾患治療に対する反応を予測する方法。
【請求項３０】
少なくとも１つの特徴は時間領域特徴であることを特徴とする、請求項１９の神経疾患治療に対する反応を予測する方法。
【請求項３１】
少なくとも２つの電極は双方向性モンタージュに配置されることを特徴とする、請求項１９の神経疾患治療に対する反応を予測する方法。
【請求項３２】
少なくとも２つの電極は単方向性モンタージュに配置されることを特徴とする、請求項１９の神経疾患治療に対する反応を予測する方法。
【請求項３３】
特徴は各電気生理信号から算出される距離の半球間差異であることを特徴とする、請求項１９の神経疾患治療に対する反応を予測する方法。
【請求項３４】
距離はスペクトル特徴であることを特徴とする、請求項３３の神経疾患治療に対する反応を予測する方法。
【請求項３５】
距離は時間領域特徴であることを特徴とする、請求項３３の神経疾患治療に対する反応を予測する方法。
【請求項３６】
神経疾患治療に対する反応を予測する方法であって、
治療される身体に少なくとも２つの電極を配置するステップと、
ベースライン状態で該身体から第１の電気生理信号を捕捉するステップと、
以後の状態で該身体から第２の電気生理信号を捕捉するステップであって、前記第１の電気生理信号が治療の開始前に捕捉されるステップと、
前記ベースライン状態の患者の状態に関係する少なくとも１つの特徴を基準データセットと比較することなく該ベースライン状態間の患者の状況に関連する少なくとも１つの特徴を算出するステップと、
前記以後の状態の患者の状態に関係する前記少なくとも１つの特徴を基準データセットと比較することなく以後の状態間の患者の状況に関連する少なくとも１つの特徴を算出するステップと、
自己申告された気分または心配スコアの変化に関係するようにベースライン状態と以後の状態時に算出された特徴間の差とを算出するステップと、
を備えることを特徴とする方法。